(57)【要約】【課題】複数の筐体部を備える電子機器に対して、搭載された機能に応じて、又は利用者の任意に接合位置を選択可能にし、電子機器の利便性を高める。【解決手段】少なくとも第１及び第２の筐体部（固定側筐体部３２、可動側筐体部３４）と、前記第１の筐体部の上面部、下面部又は側面部の何れか又は２以上の面部に接合部１４を設け、この接合部に接合可能な被接合部１８を、前記第２の筐体部の上面部、下面部又は側面部の何れか又は２以上の面部に設け、何れかの前記接合部と前記被接合部とが選択されて組み合わせにより前記第１及び第２の筐体部を接合させる接合機構部８とを備える構成である。【選択図】図１
2012014460.tif 000002
【特許請求の範囲】
【請求項１】
少なくとも第１及び第２の筐体部と、
前記第１の筐体部の上面部、下面部又は側面部の何れか又は２以上の面部に接合部を設け、この接合部に接合可能な被接合部を、前記第２の筐体部の上面部、下面部又は側面部の何れか又は２以上の面部に設け、何れかの前記接合部と前記被接合部とが選択されて組み合わせにより前記第１及び第２の筐体部を接合させる接合機構部と、
を備えることを特徴とする電子機器。
【請求項２】
更に、前記接合機構部で接合された前記第１の筐体部及び前記第２の筐体部を接合位置にロックするロック機構部と、
を備えることを特徴とする、請求項１に記載の電子機器。
【請求項３】
前記接合機構部は、
前記接合部又は前記被接合部の何れか一方に挿入部と、
前記被接合部又は前記接合部の何れか一方に前記挿入部が挿入される被挿入部と、
前記挿入部が前記被挿入部に挿入された際に両者を係止する係止部と、
を備えることを特徴とする、請求項１に記載の電子機器。
【請求項４】
前記挿入部又は前記被挿入部の何れか一方又は双方に前記挿入部又は前記被挿入部を進退可能に支持する進退機構部を備えることを特徴とする、請求項３に記載の電子機器。
【請求項５】
電子機器の分離された筐体部を接合する筐体接合方法であって、
少なくとも第１及び第２の筐体部を備えられ、第１の筐体部の上面部、下面部又は側面部の何れか又は２以上の面部に接合部を設け、この接合部に接合可能な被接合部を、第２の筐体部の上面部、下面部又は側面部の何れか又は２以上の面部に設ける工程と、
何れかの前記接合部と前記被接合部とが選択されて組み合わせにより前記第１及び第２の筐体部を接合させる工程と、
を含むことを特徴とする電子機器の筐体接合方法。
【発明の詳細な説明】
【技術分野】
【０００１】
本発明は、複数の筐体で構成され、これらの筐体同士を分離又は接合可能にした電子機器及びその筐体接合方法に関する。
【背景技術】
【０００２】
複数の筐体部を備え、その筐体部同士を分離し又は接合可能に構成した電子機器がある。このような電子機器は、筐体部同士を決められた面、位置又は方向に接合させており、例えば、電子機器を携帯して移動する等の使用状態により分離又は接合することができる。また、筐体部の一部を分離しても他の筐体部側で電子機器の機能が利用できるものが知られている。
【０００３】
このような電子機器の筐体部同士の分離又は接合に関し、携帯型電子機器の筐体の底壁側の所定位置に対して冷却装置を接合、分離させるためのロック爪を備えるものが知られている（特許文献１）。
【先行技術文献】
【特許文献】
【０００４】
【特許文献１】特開２００２−１９６８４２公報
【発明の概要】
【発明が解決しようとする課題】
【０００５】
ところで、例えば、携帯電話機等の電子機器は多種多様な機能やアプリケーションを搭載しており、その各機能毎に利用し易い形態が異なる。例えば、携帯電話機の通話時には利用者の耳にスピーカを近付け、口にマイクを近付けるように構成し、また、表示部に表示された画像等を視聴する場合には横長の画面が適している。このような機能に対し、電子機器の筐体部の分離又は接合を可能に構成したとしても、利用者毎の使い勝手に応じた形態への変更はできず、予め設定された形態での利用しかできない。
【０００６】
斯かる要求や課題について、特許文献１にはその開示や示唆はなく、それを解決する構成等についての開示や示唆はない。
【０００７】
そこで、本開示の電子機器又はその筐体接合方法の目的は、複数の筐体部を備える電子機器に対して、搭載された機能に応じて、又は利用者の任意に接合位置を選択可能にし、電子機器の利便性を高めることにある。
【課題を解決するための手段】
【０００８】
上記目的を達成するため、本開示の電子機器は、筐体部と、接合機構部とを備える。筐体部として、少なくとも第１及び第２の筐体部を備える。接合機構部は、前記第１の筐体部の上面部、下面部又は側面部の何れか又は２以上の面部に接合部を設ける。また、接合機構部は、接合部に接合可能な被接合部を、前記第２の筐体部の上面部、下面部又は側面部の何れか又は２以上の面部に設け、何れかの前記接合部と前記被接合部とが選択されて組み合わせにより前記第１及び第２の筐体部を接合させる。斯かる構成により、上記目的が達成される。
【０００９】
また、上記目的を達成するため、本開示の電子機器の筐体接合方法は、電子機器の分離された筐体部を接合する筐体接合方法であって、接合部及び被接合部の設置工程と、接合工程とを含む。接合部及び被接合部の設置工程では、少なくとも第１及び第２の筐体部を備えられ、第１の筐体部の上面部、下面部又は側面部の何れか又は２以上の面部に接合部を設ける。また、この接合部に接合可能な被接合部を、第２の筐体部の上面部、下面部又は側面部の何れか又は２以上の面部に設ける。接合工程では、何れかの前記接合部と前記被接合部とが選択されて組み合わせにより前記第１及び第２の筐体部を接合させる。
【発明の効果】
【００１０】
本開示の電子機器又はその筐体接合方法によれば、次のような効果が得られる。
【００１１】
(1) 複数の筐体部の分離又は接合による電子機器の利用形態を選択可能にすることで、電子機器に搭載された機能の利便性を向上させる。
【００１２】
(2) また、各筐体部に構成された接合部、又は被接合部を選択して接合可能にすることで、電子機器の組立て性の向上を図れる。
【００１３】
そして、本発明の他の目的、特徴及び利点は、添付図面及び各実施の形態を参照することにより、一層明確になるであろう。
【図面の簡単な説明】
【００１４】
【図１】第１の実施の形態に係る電子機器の筐体接合の一例を示す図である。
【図２】筐体部を長手方向に接合した状態の例を示す図である。
【図３】筐体部を横方向に接合した状態の例を示す図である。
【図４】筐体部をＴ字状態に接合した場合の例を示す図である。
【図５】第２の実施の形態に係る携帯電話機の分離時の外観構成例を示す図である。
【図６】接合フックの構成例を示す図である。
【図７】図６のａ−ａ断面図である。
【図８】図６のｂ−ｂ断面図である。
【図９】接合引掛け部の構成例を示す平面図である。
【図１０】図９のｃ−ｃ断面図である。
【図１１】図９のｄ−ｄ断面図である。
【図１２】接合フックと接合引掛け部との接合動作の一例を示す断面図である。
【図１３】接合フックと接合引掛け部との接合動作の一例を示す断面図である。
【図１４】接合フックと接合引掛け部との接合動作の一例を示す断面図である。
【図１５】携帯電話機を二段重ねに接合する場合のスライド動作の一例を示す図である。
【図１６】接合フックの他の構成例を示す図である。
【図１７】接合引掛け部の他の構成例を示す図である。
【図１８】接合引掛け部の他の構成例を示す図である。
【図１９】接合引掛け部の接合状態の一例を示す図である。
【図２０】第３の実施の形態に係るフックモジュールの外観構成例を示す図である。
【図２１】フックモジュールの構成例を示す分解斜視図である。
【図２２】引掛けモジュールの外観構成例を示す図である。
【図２３】引掛けモジュールの構成例を示す分解斜視図である。
【図２４】接合前のフックモジュールと引掛けモジュールの構成例を示す断面図である。
【図２５】フックピンを引掛けモジュール内に挿入した状態の一例を示す断面図である。
【図２６】フックモジュールをスライドさせた状態の一例を示す断面図である。
【図２７】フックモジュールの他の構成例を示す図である。
【図２８】フックモジュールの分解斜視図である。
【図２９】モジュールの取付構造の一例を示す図である。
【図３０】筐体外部側への実装状態の一例を示す部分断面図である。
【図３１】筐体内部側への実装状態を一部を切り欠いて示した図である。
【図３２】図３１のＡ−Ａ断面図である。
【図３３】図３１のＢ−Ｂ断面図である。
【図３４】携帯電話機へのモジュールの設置例を示す図である。
【図３５】携帯電話機へのモジュールの他の設置例を示す図である。
【図３６】第４の実施の形態に係る携帯電話機の外観構成例を示す図である。
【図３７】図３６のＣ’−Ｃ’及びＣ”−Ｃ”断面図である。
【図３８】第５の実施の形態に係る携帯電話機の外観構成例を示す図である。
【図３９】可動側筐体部のスライド方向の一例を示す図である。
【図４０】図３８のＤ’−Ｄ’及びＤ”−Ｄ”断面図である。
【図４１】第６の実施の形態に係る携帯電話機の外観構成例を示す図である。
【図４２】図４１のＥ’−Ｅ’及びＥ”−Ｅ”断面図である。
【図４３】第７の実施の形態に係る携帯電話機の外観構成例を示す図である。
【図４４】携帯電話機の接合動作の一例を示す図である。
【図４５】横方向に筐体部をスライドさせて接合する実施例を示す図である。
【図４６】縦方向に筐体部をスライドさせて接合する実施例を示す図である。
【図４７】高さ方向にスライドさせて筐体部を接合する実施例を示す図である。
【図４８】高さ方向にスライドさせて筐体部を接合する実施例を示す図である。
【図４９】Ｔ字形に筐体部同士を接合する実施例を示す図である。
【図５０】筐体部の平面に段差を付けた場合の実施例を示す図である。
【発明を実施するための形態】
【００１５】
〔第１の実施の形態〕
【００１６】
第１の実施の形態について、図１、図２、図３及び図４を参照する。図１は、第１の実施の形態に係る電子機器の筐体接合状態の例を示す図、図２は、筐体部を長手方向に接合した状態の例を示す図、図３は、筐体部を横方向に接合した状態の例を示す図、図４は、筐体部をＴ字状態に接合した場合の例を示す図である。尚、図１〜図４に示す構成は一例であり、これに限定されない。
【００１７】
この電子機器２は、本開示の電子機器の一例であって、例えば、第１の筐体部４、第２の筐体部６、接合機構部８を備えている。この電子機器２は第１の筐体部４と第２の筐体部６とに分離可能に構成されている。この第１の筐体部４と第２の筐体部６とは、例えば、分離状態でそれぞれ電子機器２として機能してもよく、また、結合して電子機器２として機能するものでもよい。
【００１８】
第１の筐体部４は、電子機器２の構成部の一例であって、例えば、主に操作機能部を備える。この電子機器２は、例えば、通話機能やデータ通信機能を備えてもよい。そこで、第１の筐体部４には、操作部１０として例えば、決定キーやキーボード等を備える。また、第２の筐体部６を分離して電子機器２を機能するため、表示部１２や、通話を行うためのレシーバ、マイク等を備えてもよい。そして、第１の筐体部４の上面部、下面部又は側面部の何れか又は２以上の面部には、第２の筐体部６と接合するための接合部１４を備えている。
【００１９】
第２の筐体部６は、電子機器２の構成部の一例であって、例えば、主に表示機能部を備える。そこで、第２の筐体部６は、例えば、表示部１６の他、通話を行うためのレシーバ、マイク等を備える。また、第２の筐体部６の上面部、下面部又は側面部の何れか又は２以上の面部には、第１の筐体部４と接合するための被接合部１８を備えている。
【００２０】
接合機構部８は、第１の筐体部４と第２の筐体部６とを接合させる手段の一例であって、第１の筐体部４に設置されて選択された接合部１４と、第２の筐体部６に設置されて選択された被接合部１８とを組み合わせて構成する。例えば、接合部１４は接合凸部で構成し、被接合部１８は接合凹部で構成している。そして、接合機構部８を構成する接合凸部と接合凹部とを係合させることで第１の筐体部４と第２の筐体部６とを接合する。このように選択した接合部１４と被接合部１８とを組み合わせることで、電子機器２を各種の形態で利用することが可能となる。
【００２１】
尚、接合機構部８として、第１の筐体部４に接合凸部を備え、第２の筐体部６に接合凹部を備える構成としているが、これに限定されない。例えば、組み合わせる筐体に応じて、接合凸部と接合凹部を決めればよく、また、接合部１４及び被接合部１８を構成する部品を変更して、接合凸部や接合凹部を変更可能に構成してもよい。
【００２２】
そこで、図１に示すように、第１の筐体部４と第２の筐体部６とを積重ねて接合することができる。この場合、接合機構部８として、第１の筐体部４の上面部に設置した接合部１４と、第２の筐体部６の下面部に設置した被接合部１８とを選択し、接合する。また、このような積重ねによる結合では、例えば、電子機器２の前側と後側の２カ所に接合機構部８を構成し、筐体間を固定している。このような形態に接合すれば、筐体部４、６で構成された電子機器２に対し、１つの筐体部分の幅に収めることができ、省スペース化を図ることができる。
【００２３】
また、図２のＡ及びＢに示すように、第１の筐体部４と第２の筐体部６とを長手方向に接合することができる。この場合、接合機構部８として、例えば、第１の筐体部４の前側側面に備えた接合部１４と、第２の筐体部６の後側側面に備えた被接合部１８とが選択され、接合する。このような形態に接合することで、例えば、電子機器２を利用して通話機能を利用する場合、第１の筐体部４に備えたレシーバと第２の筐体部６に備えたマイクとをそれぞれ利用者の耳又は口側に近付けることができる。また、例えば、電子機器２に撮影機能を備えた場合において、長手方向に接合した第１の筐体部４の表示部１２は、撮影機能のファインダーとして利用することができる。
【００２４】
尚、図２のＡに示すように、第１の筐体部４と第２の筐体部６とを直線状に接合した場合を示しているが、これに限られない。例えば、第１の筐体部４と第２の筐体部６との間の角度を狭めて接合するようにしてもよい。
【００２５】
また、図３に示すように、第１の筐体部４と第２の筐体部６とを横方向に接合することができる。この場合、接合機構部８として、例えば、第１の筐体部４の横側側面に備えた接合部１４と第２の筐体部６の横側側面に備えた被接合部１８とが選択され、接合する。このような接合により、長手方向に対するコンパクト化を図ることができる。
【００２６】
また、図４に示すように、第１の筐体部４と第２の筐体部６とをＴ字状態に接合することができる。この場合、接合機構部８として、例えば、第１の筐体部４の前側側面に備えた接合部１４と、第２の筐体部６の横側側面に備えた被接合部１８とが選択され、接合する。このように接合することで、例えば、電子機器２のテレビ機能を利用する場合、横長の映像を視聴するために第２の筐体部６の表示部１６は横長に配置され、操作に利用する第１の筐体部４の表示部１２は縦長に配置することができる。
【００２７】
尚、図１〜図４に示す電子機器２を構成する第１の筐体部４と第２の筐体部６の接合は、接合部１４と被接合部１８の設置状態により採り得る接合例を示したものであり、電子機器２が図１〜図４に示す形態を必ず構成しなければならないものではない。また、この電子機器２は、少なくとも２つの筐体部により構成されればよく、例えば、３つ以上の筐体部を備えた場合であってもよい。
【００２８】
斯かる構成によれば、電子機器の各機能に対し、各筐体部に接合部及び被接合部を複数個備えて選択可能に構成することで、接合の自由度を高めることができる。また、複数の筐体部の分離又は接合による電子機器の利用形態を選択可能にすることで、電子機器に搭載された機能の利便性を向上させることができる。更に、各筐体部に構成された接合部、又は被接合部を選択して接合可能にすることで、電子機器の組立て性の向上を図ることができる。
【００２９】
〔第２の実施の形態〕
【００３０】
次に、第２の実施の形態について、図５を参照する。図５は、第２の実施の形態に係る携帯電話機の分離時の外観構成例を示す図である。尚、図５に示す構成は一例であって、これに限定されない。
【００３１】
この携帯電話機３０は、本開示の電子機器の一例であって、例えば、図５に示すように、固定側筐体部３２、可動側筐体部３４で構成されている。この固定側筐体部３２及び可動側筐体部３４は、筐体部毎に分離して、それぞれ独立した携帯電話機３０として利用することもできる。
【００３２】
固定側筐体部３２は、既述の第１の筐体部４の一例である。固定側筐体部３２は、例えば、表示部３６、操作キー３８、キーボード４０、スピーカ４２、マイク４４等を備える。また、固定側筐体部３２の側面側、下面側、上面側の何れか又は２以上の面には、接合部１４として、複数の接合フック４６を備えている。
【００３３】
可動側筐体部３４は、既述の第２の筐体部６の一例である。この可動側筐体部３４は、例えば、表示部４８、スピーカ５０、マイク５２等を備える。また、可動側筐体部３４の側面側、下面側、上面側の何れか又は２以上の面には、固定側筐体部３２と接合する被接合部１８として、複数の接合引掛け部５４を備えている。
【００３４】
このような構成において、固定側筐体部３２の接合フック４６と可動側筐体部３４の接合引掛け部５４を選択して接合する。これにより既述のように、選択された接合フック４６と接合引掛け部５４が携帯電話機３０の接合機構部８を構成する。
【００３５】
次に、接合機構部の構成について、図６、図７、図８、図９、図１０及び図１１を参照する。図６は、接合フックの構成例を示す平面図、図７は、図６のａ−ａ断面図、図８は、図６のｂ−ｂ断面図、図９は、接合引掛け部の構成例を示す平面図、図１０は、図９のｃ−ｃ断面図、図１１は、図９のｄ−ｄ断面図である。尚、図６、図７、図８、図９、図１０及び図１１に示す構成は一例であって、これに限定されない。
【００３６】
この接合フック４６は、接合引掛け部５４に係止して、固定側筐体部３２と可動側筐体部３４とを接合する接合機構部８を構成する。接合フック４６は、例えば、図６に示すように、複数のフック部５６、ケース部５８、シャーシ部６０を備えている。
【００３７】
フック部５６は、接合孔に係止させて筐体部同士を接合する手段の一例である。各フック部５６は、例えば、図７に示すように、シャーシ部６０及びケース部５８によって構成された収納部６２に収納されている。また、フック部５６の一端側には、例えば、ケース部５８から抜け落ちるのを防止するためのフランジ６４を備えており、係止させる接合孔方向に向けてフック部５６をスライド可能に構成している。更に、このフック部５６は、例えば、磁力によって吸着する材質で構成されており、例えば、シャーシ部６０や接合引掛け部５４に設置した吸着部材６６、８４（図１０）により移動する。これにより、筐体間の接合時には、接合フック４６からフック部５６を突出させ、各筐体部３２、３４を単独で利用する場合には、フック部５６を収納部６２内に収納させるようにしてもよい。
【００３８】
ケース部５８は、シャーシ部６０と組み合わせて、フック部５６を収納する収納部６２を構成している。このケース部５８は、図８に示すように、シャーシ部６０に固定するための爪部６８を備え、シャーシ部６０の開口側及び側面側を覆うように設置している。そして、この爪部６８をシャーシ部６０の底面側に係止させて固定している。また、ケース部５８の一端側には、フック部５６を突出させるための孔７０を備えており、この孔７０は、フック部５６のフランジ６４を通さない大きさに構成されている。その他、ケース部５８は、例えば、固定側筐体部３２に設置するための係止孔や締結孔を備えてもよい。
【００３９】
シャーシ部６０は、収納部６２の底面側を構成し、収納されたフック部５６を所定位置に保持している。また、シャーシ部６０は、吸着部材６６を備えている。この吸着部材６６は、例えば、マグネット等で構成されればよく、磁力等によりフック部５６を吸着して収納部６２内に引き込む駆動手段を構成する。吸着部材６６は、例えば、フック部５６の設置位置に合わせて配置すればよい。
【００４０】
接合引掛け部５４は、被接合部の一例であって、例えば、可動側筐体部３４等に設置する。この接合引掛け部５４は、例えば、図９に示すように、ケース部７２、シャーシ部７４を備える。そして、ケース部７２には各フック部５６を係止するための２つの係止孔７６を備えている。
【００４１】
ケース部７２は、各係止孔７６に挿入されたフック部５６を係止させるとともに、保持する手段の一例である。係止孔７６は、例えば、フック部５６と同径又はそれ以上の径で構成された挿入孔部７８と、フック部５６の頭部側よりも小径の保持孔部８０を備えている。この挿入孔部７８及び保持孔部８０は、フック部５６を進退可能に支持する進退機構部を構成しており、例えば、鍵穴状に構成されている。そして、フック部５６を挿入孔部７８に挿入させた後、フック部５６を保持孔部８０側にスライドさせることで接合フック４６と接合引掛け部５４とを固定接合する。
【００４２】
尚、図９に示す係止孔７６の構成は一例であり、保持孔部８０の配置方向はこれに限られない。また、挿入孔部７８に対する保持孔部８０の配置方向は、一定方向に限られない。即ち、挿入孔部７８と保持孔部８０の配置方向に応じて、接合フック４６と接合引掛け部５４を備えた固定側筐体部３２と可動側筐体部３４との接合時のスライド方向が決まる。そして、このスライド方向を選択可能にすることで、可動側筐体部３４の複数面に設置した接合引掛け部５４毎に接合方向を選択することができる。例えば、挿入孔部７８に対する保持孔部８０の設置方向を左右方向、上下方向又は斜め方向に選択することができ、接合動作では、選択した方向に対してスライドさせることで、フック部５６を固定保持することができる。
【００４３】
また、接合引掛け部５４は、例えば、図１０及び図１１に示すように、ケース部７２はシャーシ部７４と組み合わせて、フック部５６を収納する収納部８２を構成する。このケース部７２とシャーシ部７４との結合は、例えば、既述の接合フック４６側のケース部５８とシャーシ部６０との結合と同様に構成すればよい。また、ケース部７２は、可動側筐体部３４に設置するための係止孔や締結孔等を備えてもよい。
【００４４】
シャーシ部７４は、収納部８２の底面部を構成している。また、シャーシ部７４は、ケース部７２に備えた挿入孔部７８に応じた位置に吸着部材８４を備えている。この吸着部材８４は、例えば、マグネットで構成されればよく、フック部５６を接合フック４６の収納部６２から突出させる駆動手段を構成する。そして、この吸着部材８４により、接合フック４６を接合引掛け部５４に接近させると、フック部５６を収納部６２から引き出す。そこで、この吸着部材８４は、接合フック４６に設置した吸着部材６６よりも強力な吸引力を持つように構成する。これにより、接合時には、接合フック４６からフック部５６を突出させ、接合を解除する場合には、フック部５６を収納部６２に収納することができる。
【００４５】
次に、接合フックと接合引掛け部との接合動作について、図１２、図１３、図１４及び図１５を参照する。図１２〜図１４は、接合フックと接合引掛け部との接合動作の一例を示す断面図、図１５は、携帯電話機を二段重ねに接合する場合のスライド動作の一例を示す図である。尚、図１２、図１３、図１４及び図１５に示す構成は一例である。
【００４６】
接合フック４６と接合引掛け部５４との接合処理では、図１２に示すように、フック部５６を挿入孔部７８の位置に合わせて配置する。例えば、接合フック４６と接合引掛け部５４とを接触するまでは、フック部５６は、接合フック４６側の吸着部材６６により収納部６２内に収納されている。そして、図１３に示すように、接合フック４６と接合引掛け部５４とを接触させると、接合引掛け部５４の吸着部材８４の吸着力によりフック部５６は、接合引掛け部５４側に吸着され、挿入孔部７８内に挿入する。そして、利用者により接合フック４６又は接合引掛け部５４を備えた筐体部をスライドさせることで、図１４に示すように、フック部５６が保持孔部８０側に移動する。これにより、フック部５６が保持孔部８０に固定保持され、接合フック４６と接合引掛け部５４とが固定接合される。
【００４７】
この筐体部のスライド状態は、図１５に示すように、携帯電話機３０の固定側筐体部３２と可動側筐体部３４とを二段重ねで接合する場合、例えば、固定側筐体部３２と可動側筐体部３４とをずらして重ね合わせる。即ち、固定側筐体部３２の接合フック４６と可動側筐体部３４の挿入孔部７８との位置を合わせるように重ね合わせる。そして、固定側筐体部３２に対して、長手方向（図１５に示す矢印方向）に可動側筐体部３４をスライド移動させることで筐体部同士を固定接合することができる。
【００４８】
尚、固定側筐体部３２と可動側筐体部３４のスライド方向は、接合引掛け部５４の保持孔部８０の配置方向により決まる。
【００４９】
次に、接合機構部の他の構成例について、図１６、図１７、図１８及び図１９を参照する。図１６は、接合フックの他の構成例を示す図、図１７及び図１８は、接合引掛け部の他の構成例を示す図、図１９は、接合引掛け部の接合状態の一例を示す図である。尚、図１６〜図１９に示す構成は一例であって、これに限定されない。また、図１６〜図１９について、図６及び図７と同一構成については説明を省略する。
【００５０】
この接合フック４６は、図１６のＡ、Ｂに示すように、ケース部８６の平面側に複数個の窓部８８、９０、９２を備えている。また、シャーシ部９４側には、このケース部８６の窓部８８、９０、９２の位置に合わせて固定孔９６、９８、１００が形成されている。これにより、例えば、携帯電話機３０の筐体部に対して接合フック４６を設置する場合、固定手段として、例えば、ネジ等をケース部８６の窓部８８、９０、９２から挿入し、シャーシ部９４の固定孔９６、９８、１００で締結する。この固定孔９６、９８、１００には、例えば、ネジ溝を形成してもよい。
【００５１】
この接合フック４６は、図１６のＣに示すように、シャーシ部９４がケース部８６の外側側面を覆って収納部６２を形成している。また、このケース部８６は、収納部６２に収納されたフック部５６の頭部側が突出する高さでシャーシ部９４に係止している。これにより、例えば、この接合フック４６を携帯電話機３０等の筐体内部に設置した場合でも、接合引掛け部５４との接合時にフック部５６の突出量が減少するのを防止できる。
【００５２】
また、図１７のＡ、Ｂに示すように、この接合引掛け部５４は、上記の接合フック５６と同様に、ケース部１０２に複数の窓部１０４、１０６、１０８を備えるとともに、シャーシ部１１０に固定孔１１２、１１４、１１６を備えている。更に、収納部８２内には、挿入孔部７８及び保持孔部８０に挿入されたフック部５６の側面側を包囲するように配置した弾性材１２０を備えている。
【００５３】
弾性材１２０は、挿入したフック部５６を保持し、挿入孔部７８から保持孔部８０側への移動時に利用者に対してクリック感を与えるとともに、フック部５６をロックするロック機構部の一例であって、例えば、板バネ等によって構成されている。弾性材１２０には、例えば、挿入孔部７８と保持孔部８０との境界部に保持孔部８０と同幅以下の狭小部１２２が形成されている。これにより、挿入したフック部５６は、保持孔部８０側にスライドすると、弾性材１２０の狭小部１２２によってロック状態となる。そして、フック部５６が弾性材１２０の狭小部１２２を通過するときに荷重変化を受けることで利用者にクリック感を与えることができるとともに、ロック状態となったことを認識させる。
【００５４】
また、図１８に示すように、接合引掛け部５４の内部側には、挿入孔部７８及び保持孔部８０を塞ぐ蓋部１２４を備えてもよい。蓋部１２４は、例えば、フック部５６の接触等によって受ける外力で変形する弾性体で構成されている。この蓋部１２４は、例えば、磁力による吸着力を受ける金属性の板ばね等で構成すればよく、吸着部材６６の吸着力によって蓋部１２４の開閉動作を補助してもよい。また、蓋部１２４は、例えば、図１８のＢに示すように、接合フック５６の収納部８２内に設置され、側面側が略Ｖ字形で構成されており、中央部を樹脂ピン１２６により熱加締めで固定している。そして、図１９に示すように、蓋部１２４は、例えば、フック部５６の挿入による押圧及び吸着部材６６の吸着力によって収納部８２の底面側に向けて変形する。これにより、挿入孔部７８及び保持孔部８０を開状態にする。また、フック部５６を挿入孔部７８から抜き出すと、蓋部１２４は、弾性体の復元力によって元の形状に戻ることで、挿入孔部７８及び保持孔部８０が閉状態となる。
【００５５】
尚、この実施の形態では、固定側筐体部３２と可動側筐体部３４とを上下に重ねて接合する構成例を示したが、これに限られない。各筐体部について、利用者が選択した接合部１４と被接合部１８との接合においても、同様の接合構成を備えればよい。
【００５６】
斯かる構成によれば、複数の筐体部の分離又は接合による電子機器の利用形態を選択可能にすることで、電子機器に搭載された機能の利便性を向上させる。また、各筐体部に構成された接合部、又は被接合部を選択して接合可能にすることで、電子機器の組立て性の向上を図れる。更に、フック部は、非接合時には筐体外面に略同一面に収納でき、接合時には吸着部材によりスライドさせて突出することにより、携帯電話機等の電子機器の外観性を向上させることができる。また、接合引掛け部内に設置した弾性材により、フック部を保持するとともに、保持孔部側への移動時にクリック感を与えるので、利用者にフック部がロック状態となったことを認識させることができる。
【００５７】
〔第３の実施の形態〕
【００５８】
次に、第３の実施の形態について、図２０、図２１、図２２及び図２３を参照する。図２０は、第３の実施の形態に係るフックモジュールの外観構成例を示す図、図２１は、フックモジュールの構成例を示す分解斜視図、図２２は、引掛けモジュールの外観構成例を示す図、図２３は、引掛けモジュールの構成例を示す分解斜視図である。尚、図２０、図２１、図２２及び図２３に示す構成は一例であって、これに限定されない。
【００５９】
このフックモジュール１３０（図２０）は、引掛けモジュール１５０（図２２）と接合することで、筐体部同士を接合する接合部１４の一例である。フックモジュール１３０は、既述の接合フック４６と同様に、接合時にカバー部１３２内に収納されたフックピン１３４を突出させる構成となっている。また、カバー部１３２には、例えば、側面側に携帯電話機３０等の筐体部に取り付けるための取付孔１３６を複数備えている。筐体部へのフックモジュール１３０の取付けは、この取付孔１３６に対して筐体部側の爪部を嵌め合わせるようにすればよい。
【００６０】
フックモジュール１３０は、例えば、図２１に示すように、フックピン１３４、カバー部１３２、ベースフォルダ１３８、連動プレート１４０で構成されている。
【００６１】
フックピン１３４は、引掛けモジュール１５０側に挿入され、接合する手段の一例であって、既述のフック部５６と同様に構成すればよい。このフックピン１３４は、径大な頭部側をケース部１３２から外部に露出させ、径小な胴部側をケース部１３２の内部側に収納している。また、底部側には、フックモジュール１３０に複数設置したフックピン１３４を連動させる連動プレート１４０が設置されている。
【００６２】
カバー部１３２は、フックモジュール１３０の外部筐体を構成する。また、カバー部１３２は、例えば、ベースフォルダ１３８と結合するための爪部１４２を複数備えており、この爪部１４２をベースフォルダ１３８の底部側に嵌め合わせて結合させる。
【００６３】
ベースフォルダ１３８は、フックモジュール１３０の本体部であって、例えば、樹脂材料で形成され、内部には連動プレート１４０やフックピン１３４を収納する収納部１４４を形成している。また、ベースフォルダ１３８の内部には、連動プレート１４０を吸着する吸着部材６６として、マグネット１４６を備えている。ベースフォルダ１３８の側面部には、収納部１４４内にマグネット１４６を挿入させる挿入孔１４８を備えればよい。ここでは、フックピン１３４を移動させるために連動プレート１４０を吸着するマグネット１４６を１つ備えた場合を示すが、例えば、設置されたフックピン１３４と同数のマグネット１４６を備えてもよい。その場合、例えば、フックピン１３４の配置位置に合わせた位置に各マグネット１４６を配置してもよい。
【００６４】
引掛けモジュール１５０は、図２２に示すように、被接合部１８の一例であって、既述の接合引掛け部５４と同様に構成すればよく、カバー部１５２には、挿入孔部７８と保持孔部８０が形成されている。また、カバー部１５２には、例えば、側面側に携帯電話機３０等に設置するための取付孔１５４を複数備えている。
【００６５】
この引掛けモジュール１５０は、例えば、図２３に示すように、カバー部１５２、ベースフォルダ１５６、板バネ１５８、マグネット１６０等で構成されている。
【００６６】
カバー部１５２は、引掛けモジュール１５０の外部筐体を構成しており、フックモジュール１３０のカバー部１３２と同様に、ベースフォルダ１５６と嵌め合わせるための爪部１６２を複数備える。そして、例えば、鍵穴状に構成された挿入孔部７８と保持孔部８０に対してフックピン１３４が挿入されることで、フックモジュール１３０を備えた筐体部と引掛けモジュール１５０を備えた筐体部とを接合する。
【００６７】
ベースフォルダ１５６は、引掛けモジュール１５０の本体部を構成しており、カバー部１５２の挿入孔部７８及び保持孔部８０に挿入されたフックピン１３４を収納する収納部１６４を形成している。この収納部１６４は、挿入されたフックピン１３４を進退可能にした進退機構部を構成する。また、収納部１６４の周縁側には、既述のように、フックピン１３４を保持するとともに接合時の進退移動に応じて利用者に対してクリック感を与えるための板バネ１５８を設置している。
【００６８】
板バネ１５８は、既述の弾性材１２０の一例であり、例えば、収納部１６４内のフックピン１３４の周囲を包囲する形状を備えている。そして、挿入孔部７８と保持孔部８０との間で、例えば、フックピン１３４の軸部分に接触する幅に狭めて形成した狭小部１６６を備えている。これにより、保持孔部８０側に移動したフックピン１３４が容易に挿入孔部７８側に移動するのを防止し、また、利用者の操作により移動する場合には、既述のようにクリック感を生じさせることができる。
【００６９】
マグネット１６０は、フックモジュール１３０の収納部１４４からフックピン１３４を吸着して突出させる駆動力を付与する駆動手段の一例である。マグネット１６０は、例えば、収納部１６４の底部側において、カバー部１５２の挿入孔部７８の位置に合わせて設置されればよい。
【００７０】
次に、フックモジュールと引掛けモジュールとの接合状態について、図２４、図２５及び図２６を参照する。図２４は、接合前のフックモジュールと引掛けモジュールの構成例を示す断面図、図２５は、フックピンを引掛けモジュール内に挿入した状態の一例を示す断面図、図２６は、フックモジュールをスライドさせた状態の一例を示す断面図である。尚、図２４、図２５及び図２６に示す構成は一例であって、これに限定されない。また、図２４〜図２６において、図１２〜図１４と同一の構成については、説明を省略する。
【００７１】
フックモジュール１３０と接合モジュール１５０とが所定の距離内に接近するまでは、図２４に示すように、フックピン１３４は収納部１４４内に収納されている。この場合、例えば、２つのフックピン１３４を接続した連動プレート１４０がマグネット１４６により吸着されており、このマグネット１４６の吸着力が、引掛けモジュール１５０側のマグネット１６０の吸着力に打ち勝っている。
【００７２】
次に、フックモジュール１３０は、例えば、フックピン１３４を引掛けモジュール１５０の挿入孔部７８の位置に合わせて配置するように引掛けモジュール１５０側に接近させる。尚、この場合、フックモジュール１３０側に向けて引掛けモジュール１５０を接近させてもよい。
【００７３】
フックモジュール１３０を引掛けモジュール１５０に接触させると、図２５に示すように、フックピン１３４は、引掛けモジュール１５０の収納部１６４内に挿入される。この場合、連動プレート１４０を吸着していたマグネット１４６に対し、引掛けモジュール１５０に備えたマグネット１６０の吸着力が強力に設定されているので、フックピン１３４及び連動プレート１４０を引掛けモジュール１５０側に進出させる駆動力を付与する。
【００７４】
そして、フックピン１３４が収納部１６４内に挿入されると、例えば、図２６に示すように、フックモジュール１３０又は引掛けモジュール１５０をスライドさせて、収納部１６４内のフックピン１３４を保持孔部８０側に移動させる。このとき、各フックピン１３４は、連動プレート１４０によって、同時に板バネ１５８の狭小部１６６を通過して固定保持される。
【００７５】
尚、フックモジュール１３０と引掛けモジュール１５０とを分離する場合は、この処理手順を逆に実行すればよい。そして、この分離により、フックモジュール１３０のフックピン１３４は、連動プレート１４０とともに収納部１４４内に後退する。即ち、マグネット１４６は、連動プレート１４０を介してフックピン１３４に対し、後退させる駆動力を付与している。
【００７６】
次に、フックモジュールの構成例について、図２７及び図２８を参照する。図２７は、フックモジュールの他の構成例を示す図、図２８は、フックモジュールの分解斜視図である。尚、図２７及び図２８に示す構成は一例であり、図２０及び図２１と同様の構成については説明を省略する。
【００７７】
このフックモジュール１７０は、図２７及び図２８に示すように、単一のフックピン１３４を備えている。このフックモジュール１７０は、例えば、携帯電話機３０の筐体上面側、又は底面側等に複数個設置すればよく、筐体同士を上下に重ねて接合する場合に利用すればよい。そして、このフックモジュール１７０は、フックピン１３４、カバー部１７２、ベースフォルダ１７４、マグネット１７６等を備えればよい。また、フックピン１３４は、例えば、ベースフォルダ１７４内の収納部１７８からフックピン１３４が抜け落ちるのを防止するためのリング状のピンストッパ１８０を備える。このような構成により、筐体表面に対し、接合部及び被接合部を小型に形成することができるので、例えば、表示部や操作部等の携帯電話機３０の機能構成部品への配置位置を制限しない。
【００７８】
次に、フックモジュール及び引掛けモジュールの設置例について、図２９、図３０、図３１、図３２、図３３、図３４及び図３５を参照する。図２９は、モジュールの取付構造の一例を示す図、図３０は、筐体外部側への実装状態の一例を示す部分断面図、図３１は、筐体内部側への実装状態を一部を切り欠いて示した図、図３２は、図３１のＡ−Ａ断面図、図３２は、図３１のＢ−Ｂ断面図、図３４は、携帯電話機へのモジュールの設置例を示す図、図３５は、携帯電話機へのモジュールの他の設置例を示す図である。尚、図２９〜図３５に示す構成は一例であって、これに限定されない。
【００７９】
フックモジュール１３０は、図２９に示すように、携帯電話機３０の筐体同士を接合させる面に応じてフックピン１３４が設置された面を対向させて配置する。引掛けモジュール１５０も同様に接合させる向きで配置すればよい。フックモジュール１３０及び引掛けモジュール１５０は、例えば、筐体部３２、３４側に設置された爪部１９０を取付孔１３６に挿入させる。筐体部３２、３４側は、例えば、フックモジュール１３０又は引掛けモジュール１５０を挿入させ保持するための保持収納部１９２、１９４を備えている。この筐体部３２、３４は、例えば、前面側ケース部１９６と背面側ケース部１９８とを備えており、前面側ケース部１９６と背面側ケース部１９８とを、例えば、ネジ等の締結部品２００によって結合させる。この筐体部３２、３４の内部には、例えば、基板や液晶部品等、電子機器２の機能部品等を備えている。そして、フックモジュール１３０は、例えば、前面側ケース部１９６と背面側ケース部１９８との間に挟み込んで固定する。引掛けモジュール１５０に対しても同様の構成で設置すればよい。
【００８０】
そして、フックモジュール１３０を備えた筐体部３２と引掛けモジュール１５０を備えた筐体部３４との接合では、図３０に示すように、フックモジュール１３０及び引掛けモジュール１５０のカバー部１３２、１５２同士を接触させている。即ち、フックモジュール１３０及び引掛けモジュール１５０のカバー部１３２、１５２が筐体部３２、３４の外装の一部となっている。また、フックモジュール１３０及び引掛けモジュール１５０は、筐体部３２、３４の内側に設置した爪部１９０により固定されるので、筐体部３２、３４の外装面の美観を高めることができる。
【００８１】
また、フックモジュール１３０及び引掛けモジュール１５０は、図３１に示すように、筐体部３２、３４の内部側に設置してもよい。この接合状態では、フックモジュール１３０のカバー部１３２及び引掛けモジュール１５０のカバー部１５２が筐体外部に露出していない。
【００８２】
筐体部３２、３４の内部側に設置したフックモジュール１３０、引掛けモジュール１５０は、図３２に示すように、カバー部１３２、１５２を筐体部３２、３４の外装部２０２、２０４によって固定されている。これにより、接合処理中にフックモジュール１３０又は引掛けモジュール１５０の位置がずれたり、筐体部３２、３４から抜け落ちるのを防止できる。また、このフックモジュール１３０及び引掛けモジュール１５０は、例えば、図３３に示すように、携帯電話機３０の各筐体部３２、３４に設置された引掛けリブ２０６、２０８を保持する固定孔２１０、２１２を備えてもよい。
【００８３】
この引掛けリブ２０６、２０８は、例えば、筐体部３２、３４の外装部２０２、２０４の一部で構成され、前面側ケース部１９６と背面側ケース部１９８との接触部分を筐体部３２、３４の内部側に張り出させている。そして、この引掛けリブ２０６、２０８を固定孔２１０、２１２内に挿入するようにフックモジュール１３０や引掛けモジュール１５０を設置する。引掛けリブ２０６、２０８と固定孔２１０、２１２とは、筐体部同士を接合する面に対して、１又は複数個設置すればよい。これにより、各モジュール１３０、１５０のカバー部１３２、１５２が外装側に露出しないので、携帯電話機３０の外装面に与える影響を少なくすることができ、美観を高めることができる。
【００８４】
携帯電話機３０に対するフックモジュール１３０又は引掛けモジュール１５０の設置位置等は、図３４に示すように、例えば、固定側筐体部３２及び可動側筐体部３４のそれぞれの上面、底面、側面側の何れか又は２以上の面に設置することができる。この場合、例えば、各筐体部３２、３４の側面側には、フックピン１３４又は係止孔７６を複数個備えたモジュール１３０、１５０を設置している。また、各筐体部３２、３４の上面又は底面側には、単一のフックピン１３４又は係止孔７６を備えたフックモジュール１７０、引掛けモジュール２２０を複数個備えてもよい。
【００８５】
そこで、電子機器の筐体接合方法では、携帯電話機３０の分離された筐体部３２、３４を接合する方法であって、第１の筐体部である固定側筐体部３２の上面部、下面部、側面部の何れか又は２以上の面部に接合部として、フックモジュール１３０、１７０を設ける工程を含む。また、第２の筐体部である可動側筐体部３４の上面部、下面部、側面部の何れか又は２以上の面部に非接合部として引掛けモジュール１５０、２２０を設ける工程を含む。そして、何れかの接合部と非接合部とが選択され、組み合わせることで、第１及び第２の筐体部を接合させる工程を含む。ここでは、例えば、筐体部３２、３４同士を二段重ねに接合する場合を示しており、固定側筐体部３２の上面３２ａ側の２つのフックモジュール１７０と、可動側筐体部３４の底面３４ａ側の引掛けモジュール２２０が選択され、接合機構部８となる。
【００８６】
筐体部３２、３４同士の接合では、例えば、回転方向がズレないようにモジュール１３０、１５０、１７０、２２０の設置個数等を決めればよい。また、設置するモジュール１３０、１５０、１７０、２２０の種類や大きさ、設置個数は利用者が任意に選択するようにしてもよい。更に、モジュール１３０、１５０、１７０、２２０を付け替え可能にして変更する構成としてもよい。
【００８７】
また、固定側筐体部３２及び可動側筐体部３４は、図３５に示すように、設置したフックモジュール１３０、１７０又は引掛けモジュール１５０、２２０の外装側に、筐体カバー２３０、２３２、２３４、２３６を設置してもよい。筐体カバー２３０、２３２、２３４、２３６は、例えば、携帯電話機３０の固定側筐体部３２や可動側筐体部３４と同一の材質、同一の色彩や模様で構成すればよい。この筐体カバー２３０、２３２、２３４、２３６を備えることで、フックモジュール１３０、１７０、引掛けモジュール１５０、２２０を外装面の色彩や模様等に合わせることができ、外観品質を高めることができる。
【００８８】
斯かる構成によれば、電子機器の各筐体部同士を接合する接合部及び被接合部をモジュール化することにより、電子機器の組立て性を向上することができる。また、複数の筐体部の分離又は接合による電子機器の利用形態を選択可能にすることで、電子機器に搭載された機能の利便性を向上させる。更に、モジュールの変更や交換を可能とすれば、電子機器に搭載された機能等により、接合状態、接合対象を必要に応じて変更させることが可能となる。
【００８９】
〔第４の実施の形態〕
【００９０】
次に、第４の実施の形態について、図３６及び図３７を参照する。図３６は、第４の実施の形態に係る携帯電話機の外観構成例を示す図、図３７は、図３６のＣ’−Ｃ’及びＣ”−Ｃ”断面図である。尚、図３６及び図３７に示す構成は一例であって、これに限定さない。また、図３６及び図３７において、図２４〜図２６、図３４等と同様の構成については、説明を省略する。
【００９１】
この携帯電話機３０は、本開示の電子機器の一例であって、既述のようにフックモジュール１３０及び引掛けモジュール１５０によって固定側筐体部３２と可動側筐体部３４とを接合する。更に、この携帯電話機３０には、図３６に示すように、他の接合機構部８として、例えば、固定側筐体部３２の上面部の後部側に固定凸部２４０を備え、可動側筐体部３４の背面部の後部側に固定凹部２４２を備えている。
【００９２】
固定凸部２４０は、接合部の一例であって、固定凹部２４２内に配置されることで筐体部３２、３４同士を接合させる。この固定凸部２４０の内部には、吸着部材として、例えば、マグネット２４４が設置されており、固定凹部２４２内の吸着板２４６（図３７）に対して吸着することで、筐体部３２、３４同士を固定接合する。固定凸部２４０は、例えば、固定側筐体部３２に備えたマイク４４の位置に構成されている。
【００９３】
固定凹部２４２は、被接合部の一例であり、内部に吸着手段として、固定凸部２４０のマグネット２４４の磁力によって吸着する吸着板２４６を備えている。この固定凹部２４２は、例えば、フックモジュール１３０のフックピン１３４を引掛けモジュール１５０の係止孔７６に合わせて配置したときに固定凸部２４０が配置される位置に合わせて形成されている。そして、固定凹部２４２は、筐体部３２、３４がスライドする長手方向（図３６の矢印方向）に対して所定幅ａを持つように形成されている。この幅ａは、筐体部３２、３４のスライド量に合わせた長さを備えればよい。また、固定凹部２４２の横幅ｂは、固定凸部２４０の横幅に合わせて形成すればよい。これにより、固定凸部２４０を固定凹部２４２内に沿わせることで、固定側筐体部３２と可動側筐体部３４とを重ね合わせる位置を示すガイドとして機能する。
【００９４】
固定凸部２４０を備えた固定側筐体部３２のＣ’−Ｃ’断面と、固定凹部２４２を備えた可動側筐体部３４のＣ”−Ｃ”断面とにより、この携帯電話機３０の接合状態を図３７に示す。
【００９５】
例えば、図３７のＡに示すように、固定凹部２４２の図中左端側に対して固定凸部２４０が配置するように、固定側筐体部３２と可動側筐体部３４とを重ね合わせる。この場合、固定凹部２４２の左端側に固定凸部２４０を配置する位置は、フックモジュール１３０のフックピン１３４が引掛けモジュール１５０の挿入孔部７８に接触する位置に設定されている。そして、フックピン１３４を挿入孔部７８内に挿入した後、例えば、可動側筐体部３４を固定凸部２４０が固定凹部２４２に沿うようにスライドさせる。固定凸部２４０が固定凹部２４２の図中右端側に接触することでスライドが停止されると、フックピン１３４は引掛けモジュール１５０の保持孔部８０側で固定される。この場合、既述のように、固定凹部２４２の幅ａは、筐体部３２、３４のスライド量と同等に設定すればよい。
【００９６】
また、固定凹部２４２の内部に備えた吸着板２４６は、例えば、固定凹部２４２の幅ａよりも短く、図３７のＡに示すように、筐体部３２、３４同士を接触させた場合には、マグネット２４４の磁力により吸着されない。そして、筐体部３２、３４がスライドして固定凸部２４０が固定凹部２４２の右端側に移動すると、図３７のＢに示すように、マグネット２４４と吸着板２４６とが接近して磁力による吸着力で、筐体部３２、３４同士を固定接合する。
【００９７】
尚、固定凹部２４２のスライド方向は上記の方向に限られない。また、この実施の形態では、固定凸部２４０と固定凹部２４２による接合について、筐体部３２、３４を二段重ねに接合した場合を示したが、これに限られない。また、固定凸部２４０を可動側筐体部３４側に設置し、固定凹部２４２を固定側筐体部３２側に設置してもよい。
【００９８】
斯かる構成によれば、複数の筐体部の分離又は接合による電子機器の利用形態を選択可能にすることで、電子機器に搭載された機能の利便性を向上させる。また、固定凸部と固定凹部とをスライドさせることでガイド機能を発揮するので、筐体部同士を重ねて接合する場合に、より組立て性を高めることができる。
【００９９】
〔第５の実施の形態〕
【０１００】
次に、第５の実施の形態について、図３８、図３９及び図４０を参照する。図３８は、第５の実施の形態に係る携帯電話機の外観構成例を示す図、図３９は、可動側筐体部のスライド方向の一例を示す図、図４０は、図３８のＤ’−Ｄ’及びＤ”−Ｄ”断面図である。尚、図３８〜図４０において、図３４、図３６、図３７と同様の構成については、同一符号を付し、説明を省略する。
【０１０１】
この携帯電話機３０は、本開示の電子機器の一例であって、図３８に示すように、固定側筐体部３２と可動側筐体部３４とを接合する接合機構部８として、例えば、複数のフックモジュール１７０と複数の引掛けモジュール２２０とともに、固定凸部２４０、固定凹部２６０を備える。そして、この実施の形態では、接合動作として、可動側筐体部３４と固定側筐体部３２とを横方向（図３８の矢印方向）にスライドさせる場合を示す。
【０１０２】
この固定凹部２６０は、被接合部の一例であり、既述のように固定凹部２４２と同様に、内部に吸着板２６２（図４０）を備えている。そして、固定凹部２６０は、筐体部３２、３４がスライドする横方向（図３９の矢印方向）に対して所定幅ｃを持つように形成されている。この幅ｃは、筐体部３２、３４のスライド量に合わせた長さを備えればよい。また、固定凹部２６０の縦方向の幅ｄは、固定凸部２４０の縦幅に合わせて形成すればよい。これにより、固定凸部２４０を固定凹部２６０内に沿わせることで、固定側筐体部３２と可動側筐体部３４とを重ね合わせる位置を示すガイドとして機能する。
【０１０３】
そこで、この固定側筐体部３２と可動側筐体部３４との接合処理は、図４０に示すように、例えば、固定凹部２６０の図中左端側に対して固定凸部２４０が配置されるように、固定側筐体部３２と可動側筐体部３４とを重ね合わせる。既述のように、固定凹部２６０の左端側に固定凸部２４０を配置する位置は、フックモジュール１７０のフックピン１３４が引掛けモジュール２２０の挿入孔部７８に接触する位置に設定されている。そして、フックピン１３４を挿入孔部７８内に挿入した後、例えば、可動側筐体部３４を固定凸部２４０が固定凹部２６０に沿うようにスライドさせる。
【０１０４】
また、固定凹部２６０の内部に備えた吸着板２６２についても、既述のように、筐体部３２、３４同士を接触させた場合には、マグネット２４４の磁力により吸着されない位置に設置されている。そして、筐体部３２、３４のスライドにより固定凸部２４０が固定凹部２６０の図中右端側に移動すると、マグネット２４４と吸着板２６２とが接近して磁力による吸着力で、筐体部３２、３４同士を固定接合する。
【０１０５】
斯かる構成によれば、複数の筐体部の分離又は接合による電子機器の利用形態を選択可能にすることで、電子機器に搭載された機能の利便性を向上させる。また、固定凸部と固定凹部とをスライドさせることでガイド機能を発揮するので、筐体部同士を重ねて接合する場合に、より組立て性を高めることができる。
【０１０６】
〔第６の実施の形態〕
【０１０７】
次に、第６の実施の形態について、図４１及び図４２を参照する。図４１は、第６の実施の形態に係る携帯電話機の外観構成例を示す斜視図、図４２は、図４１のＥ’−Ｅ’及びＥ”−Ｅ”断面図である。尚、図４１及び図４２に示す構成は一例であって、これに限定されない。
【０１０８】
この携帯電話機３０は本開示の電子機器の一例であって、図４１に示すように、接合機構部８として、既述のフックモジュール１３０及び引掛けモジュール１５０を備えるとともに、固定側筐体部３２に係止凸部２７０、可動側筐体部３４に係止凹部２７２を備える。
【０１０９】
係止凸部２７０は、接合部の一例であって、例えば、固定凸部２７４と、係止凹部２７６とを備える。固定凸部２７４は、係止凹部２７２に沿ってスライドし、固定側筐体部３２をスライド方向にガイドする。また、係止凹部２７６は、固定凸部２７４のスライド方向の一端側に構成され、係止凹部２７２の係止爪部２８０と係止する。この係止凹部２７６は、スライド方向に対して所定の幅ｅで形成されている。この幅ｅは、例えば、フックピン１３４を係止孔７６の挿入孔部７８に合わせて配置した状態では係止爪部２８０を係止せず、フックピン１３４が保持孔部８０側にスライドすると、係止爪部２８０を係止する長さに設定すればよい。この係止凸部２７０は、例えば、携帯電話機３０のマイク４４とともに構成してもよい。
【０１１０】
係止凹部２７２は、被接合部の一例であって、例えば、固定凹部２７８と、係止爪部２８０とを備える。固定凹部２７８は、固定側筐体部３２の係止凸部２７０を挿入させ、例えば、筐体部３２、３４を接合する場合に係止凸部２７０をスライド方向にガイドする。固定凹部２７８の幅ｆは、例えば、既述の固定凹部２４２の幅ａと同様に設定すればよい。係止爪部２８０は、筐体部３２、３４の接合状態において、係止凸部２７０の係止凹部２７６と係止して、筐体部３２、３４同士を固定接合する。
【０１１１】
このような構成において、固定側筐体部３２と可動側筐体部３４とを二段重ねで接触させ、携帯電話機３０の長手方向（図４１の矢印に示す方向）にスライドさせることで、固定接合させる。
【０１１２】
そこで、この固定側筐体部３２と可動側筐体部３４との接合処理では、図４２のＡに示すように、例えば、係止凹部２７２の図中左端側に係止凸部２７０の固定凸部２７４を配置し、固定側筐体部３２と可動側筐体部３４とを重ね合わせる。そして、フックモジュール１３０のフックピン１３４を引掛けモジュール１５０の挿入孔部７８内に挿入した後、可動側筐体部３４を固定凸部２７４が固定凹部２７８に沿うようにスライドさせる。
【０１１３】
そして、図４２のＢに示すように、固定凸部２７４を固定凹部２７８の図中右端側までスライドさせることで、係止凸部２７０の係止凹部２７６と係止凹部２７２の係止爪部２８０とが係止される。また、フックモジュール１３０のフックピン１３４が引掛けモジュール１５０の保持孔部８０に保持されることで、可動側筐体部３２と固定側筐体部３４が固定接合される。
【０１１４】
斯かる構成によれば、複数の筐体部の分離又は接合による電子機器の利用形態を選択可能にすることで、電子機器に搭載された機能の利便性を向上させる。また、係止凸部と係止凹部とをスライドさせることでガイド機能を発揮するので、筐体部同士を重ねて接合する場合に、より組立て性を高めることができる。更に、接合手段として係止爪を利用することで、電子機器の各機能部に対する磁力の影響をより低減することができる。
【０１１５】
〔第７の実施の形態〕
【０１１６】
次に、第７の実施の形態について、図４３及び図４４を参照する。図４３は、第７の実施の形態に係る携帯電話機の外観構成例を示す図、図４４は、携帯電話機の接合動作の一例を示す図である。尚、図４３及び図４４に示す構成は一例である。
【０１１７】
この携帯電話機３０は、本開示の電子機器の一例であって、接合フック１３１又はフックモジュール１３０を備えた固定側筐体部３２と、接合引掛け部１５１又は引掛けモジュール１５０を備えた可動側筐体部３４とを回転方向にスライドさせて接合する。
【０１１８】
ここで、図４３に示すように、回転中心を軸Ｚとし、この軸Ｚと可動側筐体部３４の底面部との接点を回転中心Ｏとする。また、回転中心Ｏと交差し、可動側筐体３４との平行軸を軸ＸA とする。同様に、固定側筐体部３２との平行軸をＸB とする。そして、この携帯電話機３０は、例えば、可動側筐体部３４の両端側に１つずつ接合引掛け部１５１を備える。この接合引掛け部１５１は、回転中心Ｏに対して、対角線Ｘ1 上に配置している。また、固定側筐体部３２に設置した接合フック１３１は、接合引掛け部１５１に応じた位置に配置すればよい。
【０１１９】
この接合引掛け部１５１の保持孔部８０は、例えば、接合フック１３１の回転軌道に応じて、挿入孔部７８に対する配置角度や配置位置を変更してもよい。即ち、保持孔部８０に対し、挿入孔部７８を回転軌道に沿って斜め方向に配置してもよい。
【０１２０】
また、固定側筐体部３２と可動側筐体部３４との回転中心Ｏを合わせるために、例えば、各筐体部３２、３４の回転中心位置に凹凸部を備えてもよい。例えば、図４３に示すように、固定側筐体部３２上の回転中心位置に配置された操作キー２９０に対し、可動側筐体部３４の底面側に操作キー２９０を嵌め込む中心凹部を形成してもよい。
【０１２１】
このような構成において、携帯電話機３０を回転方向にスライドさせて接合する。そこで、例えば、図４４のＡに示すように、携帯電話機３０は、回転中心Ｏを一致させ、固定側筐体部３２の平行軸ＸA と、可動側筐部３４の平行軸ＸB とを所定の角度ｒだけずらして配置する。この配置位置は、例えば、接合フック１３１が接合引掛け部１５１の挿入孔部７８に重なる位置である。そして、可動側筐体部３２を矢印で示す方向に回転させ、図４４のＢに示すように、平行軸ＸA と平行軸ＸB とを一致させることで、挿入孔部７８内に挿入されたフック部５６が保持孔部８０側に移動し、固定側筐体部３４と固定接合される。即ち、この角度ｒは、可動側筐体部３４の回転スライド量を表す。
【０１２２】
尚、回転スライドによる接合は、筐体部３２、３４同士を二段重ねにする場合に限られず、例えば、各筐体部３２、３４の側面側同士を接合する場合に利用してもよい。
【０１２３】
斯かる構成によれば、筐体同士の接合動作、分離動作において、縦方向や横方向への動作範囲を減らすことができ、例えば、混雑した空間等における筐体同士の接合又は分離の組立て性を向上させることができる。また、分離を行うには、接合時とは逆の回転方向への操作が必要になり、利用者の意図しない分離を防止できる。
【０１２４】
〔第１、第２、第３、第４、第５、第６及び第７の実施の形態の利点及び特徴事項〕
【０１２５】
(1) 上記実施の形態に示す電子機器２は、スライド動作によりフックモジュールを分離可能な接合部を備えた筺体部を、予め接合を想定した複数箇所に結合できる構成である。
【０１２６】
(2) この携帯電話機３０等の電子機器２は、結合を予定した筐体部同士を重ねあわせると、一方側の筺体部に設けた可動式のフック部５６が相手側筺体部の収納部８２に設けたマグネットにより引き出される。そして、スライド動作により、引き出されたフック部５６を筺体部に引掛けて接合する構成である。
【０１２７】
(3) 携帯電話機３０等の電子機器２は、接合予定の筐体部の面同士を重ねあわせると、一方の筺体部に設けた可動式のフック部５６が相手側筺体部の収納部８２に設けたマグネットにより引き出される。そして、一方の筐体部は、回転動作によりフック部５６を他方の筺体部の鍵穴状の保持孔部８０に固定接合する構成である。
【０１２８】
(4) 接合引掛け部５４のケース部７２は、マグネットで吸着されたフック部５６を収納し、鍵穴状の保持孔部８０側にフック部５６をスライド又は回転移動させる構成である。そして、この保持孔部８０は、例えば、長方形、円形等の形状に構成してもよい。また、ケース部７２は、この保持孔部８０を１組又は２組で構成してもよい。
【０１２９】
(5) この携帯電話機３０等の電子機器２は、フック部５６をマグネットで吸着して収納する接合フック４６と、フック部５６を挿入させてスライド又は回転移動させることで引掛ける接合引掛け部５４とを結合した筐体部の外面側、又は内面側に実装する構成である。
【０１３０】
(6) この接合引掛け部５４は、弾性部材による凹凸を設け、フック部５６の先端側及びその周囲側がその凹凸面を接触することでクリック感を発生する。
【０１３１】
(7) 接合引掛け部５４は、挿入孔部７８及び保持孔部８０を塞ぐ蓋部１２４を備え、その蓋部１２４は、バネ性を有し、フック部５６の押し込み圧力で押し込まれる。そして、フック部５６を抜くことで、蓋部１２４は元の位置に戻り、挿入孔部７８及び保持孔部８０を塞ぐ構成である。
【０１３２】
(8) 携帯電話機３０は、多種多様な機能を搭載可能であり、その機能をより便利に使えることが要求されている。そして、この携帯電話機３０の筐体部３２、３４を分離可能に構成すれば、運用形態に応じて、接合状態を変更することができる。例えば、通話時は、耳と口にレシーバを近づけることができる。また、例えば、表示を見るときは、横長画面とする等、多形状に構築できる。
【０１３３】
(9) 従来の分離可能な携帯電子機器に対し、接合するために強力な磁力を持つマグネットを備える必要がなく、内蔵したセンサ類や回路等に対する悪影響を防止することができる。また、筐体同士の接合に凹凸形状の接合部及び被接合部を用いるが、吸着部材による収納構造を備えるとともに、カバー部材等を添付することで、外観品質を落とすことがない。また、接合部及び被接合部に備えた収納構造は、複雑な構造を備えることなく、結合面に明らかに結合できると知れない外観形状、即ち、結合部分が見え難い状態を維持する。更に、この筐体同士は、接合面を軽く押し付けてスライドさせることで結合する構造である。
【０１３４】
(10)電子機器である携帯電話機３０は、分離された複数の筺体部３２、３４を二段重ね、Ｔ字形状、Ｉ字形状等に接合できる。一方の筺体部３２にフックピン１３４を設置し、他方の筐体部３４に鍵穴形状の引掛け孔である挿入孔部７８を設け、この挿入孔部７８にフックピン１３４を挿入させて保持孔部８０側にスライドさせて固定接合する。
【０１３５】
(11)接合フック４６は、筺体外面とほぼ同一面に設置し、軽磁力のマグネットにより保持されているので、外観的に美しい形状としている。引掛ける際は、接合引掛け部５４側に強磁力のマグネットを設け、フックピンを引き出し、鍵穴状の挿入孔部７８に引き込み、フックピンに設けたフランジをスライドさせ、筺体間を引掛け、保持する。
【０１３６】
(12)引掛け動作後、この状態を維持するため、接合引掛け部５４側の弾性材１２０によりロックする。その際、凹凸部を乗り越えるときの荷重変化によりクリック感を出し、ロックしたことを使用者に伝え、更にロック効果を得る。板バネ等の弾性材１２０は、接合フック４６が接合引掛け部５４に完全嵌合が行われたことの感触を得るため、また、簡易ロックとして設ける。
【０１３７】
(13)接合フック４６及び接合引掛け部５４は、筺体部に直接構成しても良く、また、モジュール化してもよい。これにより、携帯電話機３０等の電子機器の組立て性を向上させることができる。そして、このモジュールは、機能的に必要な部分のみが筺体外観に出る構造とし、それ以外は、筺体部内に収納される。また、モジュールは、筺体の保持リブと固定リブにより取り付けられる。更に、積み重ね結合時は、モジュールを片端に設けた構造であってもよく、この場合、逆側端部の保持が不完全となる場合は、マグネット吸着保持を併用してもよい。
【０１３８】
(14)この電子機器２は、第１の筐体部と第２の筐体部とを接近させて接合フックを収納部から引き出すとともに、第１の筐体部と第２の筐体部とを離間させて接合フックを収納部に収納させる構成である。
【実施例】
【０１３９】
次に、各実施例について、図４５、図４６、図４７、図４８、図４９及び図５０を参照する。図４５は、横方向に筐体をスライドさせて接合する実施例を示す図、図４６は、縦方向に筐体をスライドさせて接合する実施例を示す図、図４７は、高さ方向にスライドさせて筐体を接合する実施例を示す図、図４８は、高さ方向にスライドさせて筐体を接合する実施例を示す図、図４９は、Ｔ字形に筐体同士を接合する実施例を示す図、図５０は、筐体の平面に段差を付けた場合の実施例を示す図である。尚、図４５〜図５０において、上記実施の形態と同様の構成については、同一符号を付し、説明を省略する。
【０１４０】
携帯電話機３０の固定側筐体部３２と可動側筐体部３４とを水平面上に平行移動して接合する場合を示す。
【０１４１】
そこで、例えば、固定側筐体部３２の長手方向に対して可動側筐体部３４を接合する。この場合、接合部として、例えば、固定側筐体部３２の前部側面側のフックモジュール１３０が選択され、また、被接合部として、例えば、可動側筐体部３４の後部側面側の引掛けモジュール１５０が選択され、接合機構部８となる。
【０１４２】
図４５に示すように、固定側筐体部３２に対し、例えば、図中左斜め前方側から可動側筐体部３４を接触させ、フックモジュール１３０のフックピン１３４を引掛けモジュール１５０の挿入孔部７８の位置に合わせるように移動させる。そして、フックピン１３４が引掛けモジュール１５０の挿入孔部７８側に吸引されて挿入される。このとき、マグネット１６０により引き出されたフックピン１３４が接触音を発することで、挿入孔部７８への位置合わせがされたことが利用者に分かる。そして、固定側筐体部３２と可動側筐体部３４の側面位置を合わせるように、横方向即ち、図中の矢印の方向にスライドさせると、固定接合される。このとき、既述のように、フックピン１３４が板バネ１５８の狭小部１６６を通過することで、利用者に対し、クリック感を与え、接合が完了したことを知らせる。
【０１４３】
また、図４６に示すように、例えば、固定側筐体部３２と可動側筐体部３４とを横方向に幅広に接合する例を示す。この場合、接合部として、例えば、固定側筐体部３２の右側側面のフックモジュール１３０が選択され、また、被接合部として、例えば、可動側筐体部３４の左側側面の引掛けモジュール１５０が選択され、接合機構部８となる。
【０１４４】
そして、例えば、固定側筐体部３２の右側側面に対し、可動側筐体部３４を僅かに前方にずらして配置する。このとき、可動側筐体部３４は、フックピン１３４と挿入孔部７８との位置を合わせる位置に配置する。そして、既述のように、フックピン１３４が挿入孔部７８内に挿入されたら、筐体部３２、３４同士が横に一列で並ぶように、縦方向（図４６の矢印方向）にスライドさせて固定接合する。
【０１４５】
次に、携帯電話機３０の固定側筐体部３２と可動側筐体部３４とを高さ方向に平行移動させて接合する場合を示す。
【０１４６】
固定側筐体部３２の長手方向に対して可動側筐体部３４を接合する場合、図４７に示すように、例えば、筐体部３２、３４同士の側面が長手方向に一列になるように配置する。このとき、可動側筐体部３４は、固定側筐体部３２に対して、高さ方向にずらして配置する。即ち、被接合部である引掛けモジュール１５０の保持孔部８０は、スライド方向（図４７の矢印方向）に応じて、挿入孔部７８の上部側に配置している。従って、フックピン１３４を挿入孔部７８に合わせる場合、筐体部３２、３４が高さ方向にずらして配置される。
【０１４７】
接合動作では、フックピン１３４が挿入孔部７８に挿入されたら、可動側筐体部３４を図中の矢印が示す方向に下げ、固定側筐体部３２と高さを合わせることで固定接合される。
【０１４８】
また、固定側筐体部３２と可動側筐体部３４とを横方向に幅広に接合する場合も同様に行えばよく、例えば、図４８に示すように、可動側筐体部３４は、固定側筐体部３２に対して、下方側にずらして配置する。そして、接合動作では、可動側筐体部３４を図４８の矢印で示すように、上方向にスライドさせることで固定側筐体部３２と固定接合する。
【０１４９】
次に、携帯電話機３０を「Ｔ」字形状になるように筐体同士を接合する実施例を示す。
【０１５０】
そこで、固定側筐体部３２の長手方向に対して可動側筐体部３４を横長状態で接合する。この場合、図４９に示すように、接合部として、例えば、固定側筐体部３２の前面側面側のフックモジュール１３０が選択され、また、被接合部として、例えば、可動側筐体部３４の右側側面側の引掛けモジュール１５０が選択され、接合機構部８となる。
【０１５１】
接合動作では、固定側筐体部３２に対し、例えば、左斜め方向に僅かにずらして可動側筐体部３４を配置させ、フックモジュール１３０のフックピン１３４が引掛けモジュール１５０の挿入孔部７８側に吸引されて挿入される。そして、可動側筐体部３４を前進させ、図中の矢印に示す方向にスライドさせることで固定接合される。
【０１５２】
尚、上記した構成では、接合動作において、可動側筐体部３４側をスライドする場合を示したが、これに限られず、固定側筐体部３２側をスライドさせてもよい。この場合、例えば、そのスライド方向に合わせて、保持孔部８０の配置方向を変えた引掛けモジュール１５０、２２０を選択すればよい。
【０１５３】
次に、可動側筐体部３２と固定側筐体部３４とを二段重ねに接合する場合であって、横方向にスライドさせる場合の実施例を示す。
【０１５４】
そこで、図５０に示すように、この固定側筐体部３２は、例えば、筐体上面部に複数のフックモジュール１７０を備えるとともに、そのフックモジュール１７０に挟まれた中央部分を突出させた接合段差部３００を備えている。この接合段差部３００は、可動側筐体部３４の接合段差部３０２と嵌め合うことで、接合した筐体部の位置を保持する手段の一例である。この接合段差部３００上には、例えば、表示部３６や操作キー３８、キーボード４０等を備えている。
【０１５５】
また、可動側筐体部３４は、例えば、筐体下面側に複数の引掛けモジュール２２０を備えるとともに、接合段差部３００と嵌め合わせるように凹部を形成した接合段差部３０２を備えている。
【０１５６】
これにより、固定側筐体部３２と可動側筐体部３４とを横方向にスライドさせて接合する場合、接合段差部３００、３０２を嵌め合わせることで、フックモジュール１７０と引掛けモジュール２２０との接合位置をガイドすることができ、組立て性が向上する。また、接合段差部３００、３０２の嵌合により、重ねて接合した筐体部３２、３４が例えば、縦方向にずれるのを防止することができ、電子機器の組立て性に対する信頼度を高めることができる。
【０１５７】
〔他の実施の形態〕
【０１５８】
(1) 上記実施の形態では、本開示の電子機器の一例として、携帯電話機を示したが、これに限られない。複数の筐体部を分離可能にした電子機器であればよく、例えば、携帯用等の小型パーソナルコンピュータ（ＰＣ）、携帯情報端末機（ＰＤＡ）、携帯ゲーム機、携帯型音楽プレーヤ等に利用してもよい。斯かる構成によっても上記実施の形態と同様の効果を得ることができる。
【０１５９】
(2) 上記実施の形態では、筐体部同士を接合して固定する場合のみを示したが、これに限られない。例えば、接合フック４６と保持孔部８０との接合により、筐体部３２、３４同士を電気的に導通させる構成としてもよい。これにより、例えば、筐体部３２、３４間において機能的に連動させてもよく、また、各筐体部３２、３４同士の電池の共有を行ってもよい。例えば、分離状態では、第１の筐体部と第２の筐体部とを無線通信により機能接続させ、接合時には、例えば、接合フック４６と保持孔部８０に設置した有線接続により１つの電子機器として機能させてもよい。
【０１６０】
(3) また、筐体部同士の接合を契機に、その接合された電子機器の全体形状に応じて、利用可能な機能を選択可能にしてもよい。例えば、筐体同士を長手方向に接合した場合には、通話機能やメール機能、その他のアプリ等を選択可能に表示部等に列挙してもよい。また、使用している機能又は使用開始が設定された機能に対して、利用者に対し、表示部への表示や音声等を利用して、適した接合状態をアドバイスするようにしてもよい。
【０１６１】
(4) 更に、筐体部同士の接合を契機に、その接合状態に応じて、電子機器に予め登録された機能を起動させるようにしてもよい。
【０１６２】
次に、以上述べた実施例を含む実施の形態に関し、更に以下の付記を開示する。以下の付記に本発明が限定されるものではない。
【０１６３】
（付記１）  少なくとも第１及び第２の筐体部と、
前記第１の筐体部の上面部、下面部又は側面部の何れか又は２以上の面部に接合部を設け、この接合部に接合可能な被接合部を、前記第２の筐体部の上面部、下面部又は側面部の何れか又は２以上の面部に設け、何れかの前記接合部と前記被接合部とが選択されて組み合わせにより前記第１及び第２の筐体部を接合させる接合機構部と、
を備えることを特徴とする電子機器。
【０１６４】
（付記２）  更に、前記接合機構部で接合される前記第１の筐体部又は前記第２の筐体部の何れか一方又は双方に対向側の筐体部を位置決めする位置決め部と、
を備えることを特徴とする、付記１に記載の電子機器。
【０１６５】
（付記３）  前記接合機構部は、選択した接合部と被接合部とを縦方向、横方向、又は回転方向に平行移動させて接合することを特徴とする、付記１に記載の電子機器。
【０１６６】
（付記４）  更に、前記接合機構部で接合される前記第１の筐体部又は前記第２の筐体部の何れか一方又は双方に対向側の筐体部を接合位置にガイドするガイド部と、
を備えることを特徴とする、付記１に記載の電子機器。
【０１６７】
（付記５）  更に、前記接合機構部で接合された前記第１の筐体部及び前記第２の筐体部を接合位置にロックするロック機構部と、
を備えることを特徴とする、付記１に記載の電子機器。
【０１６８】
（付記６）  前記接合部又は前記被接合部を収納した収納部と、
該収納部を閉鎖し、前記接合部又は前記被接合部の接合の際に開放される蓋部と、
を備えることを特徴とする、付記１に記載の電子機器。
【０１６９】
（付記７）  前記接合機構部は、前記第１の筐体部又は前記第２の筐体部と別体で構成し、前記第１の筐体部又は前記第２の筐体部に固定されていることを特徴とする、付記１に記載の電子機器。
【０１７０】
（付記８）  前記接合機構部は、前記第１の筐体部又は前記第２の筐体部と一体に構成されていることを特徴とする、付記１に記載の電子機器。
【０１７１】
（付記９）  前記接合機構部は、
前記接合部又は前記被接合部の何れか一方に挿入部と、
前記被接合部又は前記接合部の何れか一方に前記挿入部が挿入される被挿入部と、
前記挿入部が前記被挿入部に挿入された際に両者を係止する係止部と、
を備えることを特徴とする、付記１に記載の電子機器。
【０１７２】
（付記１０）  前記挿入部又は前記被挿入部の何れか一方又は双方に前記挿入部又は前記被挿入部を進退可能に支持する進退機構部を備えることを特徴とする、付記９に記載の電子機器。
【０１７３】
（付記１１）  進退可能に支持された前記挿入部又は前記被挿入部の何れか一方又は双方に進出又は後退させる駆動力を付与する駆動手段を備えることを特徴とする、付記９に記載の電子機器。
【０１７４】
（付記１２）  電子機器の分離された筐体部を接合する筐体接合方法であって、
少なくとも第１及び第２の筐体部を備えられ、第１の筐体部の上面部、下面部又は側面部の何れか又は２以上の面部に接合部を設け、この接合部に接合可能な被接合部を、第２の筐体部の上面部、下面部又は側面部の何れか又は２以上の面部に設ける工程と、
何れかの前記接合部と前記被接合部とが選択されて組み合わせにより前記第１及び第２の筐体部を接合させる工程と、
を含むことを特徴とする電子機器の筐体接合方法。
【０１７５】
以上説明したように、電子機器及びその筐体接合方法の好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１７６】
２  電子機器
４  第１の筐体部
６  第２の筐体部
８  接合機構部
１４  接合部
１８  被接合部
３０  携帯電話機
３２  固定側筐体部
３４  可動側筐体部
４４、５２  マイク
４６  接合フック
５４  接合引掛け部
５６  フック部
５８、７２、８６、１０２  ケース部
６０、７４、９４、１１０  シャーシ部
６２、８２  収納部
６６、８４  吸着部材
７６  係止孔
７８  挿入孔部
８０  保持孔部
８８、９０、９２、１０４、１０６、１０８  窓部
９６、９８、１００、１１２、１１４、１１６  固定孔
１２０  弾性材
１２２  狭小部
１２４  蓋部
１３０、１７０  フックモジュール
１３２、１５２、１７２  カバー部
１３４  フックピン
１３８、１５６、１７４  ベースフォルダ
１４０  連動プレート
１４６、１６０、１７６、２４４  マグネット
１４８  挿入孔
１５０、２２０  引掛けモジュール
１５８  板バネ
１８０  ピンストッパ
１９２、１９４  保持収納部
１９６  前面側ケース部
１９８  背面側ケース部
２００  締結部品
２０２、２０４  外装部
２０６、２０８  引掛けリブ
２１０、２１２  固定孔
２３０、２３２、２３４、２３６  筐体カバー
２４０、２７４  固定凸部
２４２、２６０、２７８  固定凹部
２４６、２６２  吸着板
２７０  係止凸部
２７２  係止凹部
２７６、２８０  係止爪部
３００、３０２  接合段差部
【図１】
2012014460.tif 000003
【図２】
2012014460.tif 000004
【図３】
2012014460.tif 000005
【図４】
2012014460.tif 000006
【図５】
2012014460.tif 000007
【図６】
2012014460.tif 000008
【図７】
2012014460.tif 000009
【図８】
2012014460.tif 000010
【図９】
2012014460.tif 000011
【図１０】
2012014460.tif 000012
【図１１】
2012014460.tif 000013
【図１２】
2012014460.tif 000014
【図１３】
2012014460.tif 000015
【図１４】
2012014460.tif 000016
【図１５】
2012014460.tif 000017
【図１６】
2012014460.tif 000018
【図１７】
2012014460.tif 000019
【図１８】
2012014460.tif 000020
【図１９】
2012014460.tif 000021
【図２０】
2012014460.tif 000022
【図２１】
2012014460.tif 000023
【図２２】
2012014460.tif 000024
【図２３】
2012014460.tif 000025
【図２４】
2012014460.tif 000026
【図２５】
2012014460.tif 000027
【図２６】
2012014460.tif 000028
【図２７】
2012014460.tif 000029
【図２８】
2012014460.tif 000030
【図２９】
2012014460.tif 000031
【図３０】
2012014460.tif 000032
【図３１】
2012014460.tif 000033
【図３２】
2012014460.tif 000034
【図３３】
2012014460.tif 000035
【図３４】
2012014460.tif 000036
【図３５】
2012014460.tif 000037
【図３６】
2012014460.tif 000038
【図３７】
2012014460.tif 000039
【図３８】
2012014460.tif 000040
【図３９】
2012014460.tif 000041
【図４０】
2012014460.tif 000042
【図４１】
2012014460.tif 000043
【図４２】
2012014460.tif 000044
【図４３】
2012014460.tif 000045
【図４４】
2012014460.tif 000046
【図４５】
2012014460.tif 000047
【図４６】
2012014460.tif 000048
【図４７】
2012014460.tif 000049
【図４８】
2012014460.tif 000050
【図４９】
2012014460.tif 000051
【図５０】
2012014460.tif 000052